(57)【要約】【課題】カードの所持者がカード処理機内部に引き込まれたカードを排出しやすいカード処理機及び料金収受システムを提供する。【解決手段】カード処理機１は、カードの所持者による操作を受付可能とされるユーザパネル１１と、ユーザパネル１１に設けられたカード挿入口１２と、カード挿入口１２から挿入されたカードを内部に引き込むオートローディング機構１３と、オートローディング機構１３を駆動制御する制御部１４と、内部に引き込まれたカードを強制排出可能とする強制排出機構１５と、を備える。強制排出機構１５は、ユーザパネル１１に設けられた操作機構１５１に基づいて駆動される。【選択図】図３
2020135303.tif 000002
【特許請求の範囲】
【請求項１】
カードの所持者による操作を受付可能とされるユーザパネルと、
前記ユーザパネルに設けられたカード挿入口と、
前記カード挿入口から挿入された前記カードを内部に引き込むオートローディング機構と、
前記オートローディング機構を駆動制御する制御部と、
内部に引き込まれた前記カードを強制排出可能とする強制排出機構と、
を備え、
前記強制排出機構は、前記ユーザパネルに設けられた操作機構に基づいて駆動されるカード処理機。
【請求項２】
前記ユーザパネルは、前記オートローディング機構へのアクセスを制限している請求項１に記載のカード処理機。
【請求項３】
前記ユーザパネルは、前記カード処理機の外部と前記オートローディング機構との間に設けられ、
前記操作機構は、前記ユーザパネルから前記カード処理機の外部へ突出している請求項１に記載のカード処理機。
【請求項４】
前記制御部は、カード詰まりが検知された場合に前記オートローディング機構をフリー状態とする請求項１から３のいずれか一項に記載のカード処理機。
【請求項５】
電断された場合に、前記オートローディング機構をフリー状態とする請求項１から４のいずれか一項に記載のカード処理機。
【請求項６】
前記オートローディング機構が、モータの駆動力を用いて、前記カードを内部に引き込むことが可能であり、
前記モータの入力端子間を電気的に開放可能な請求項１から５のいずれか一項に記載のカード処理機。
【請求項７】
前記操作機構を覆うカバーをさらに備える請求項１から６のいずれか一項に記載のカード処理機。
【請求項８】
前記ユーザパネルに設けられ、前記操作機構の操作を案内可能な案内部をさらに備える請求項１から７のいずれか一項に記載のカード処理機。
【請求項９】
前記ユーザパネルに設けられた呼出部をさらに備える請求項１から８のいずれか一項に記載のカード処理機。
【請求項１０】
請求項１から９のいずれか一項に記載のカード処理機を備える料金収受システム。
【発明の詳細な説明】
【技術分野】
【０００１】
本発明は、カード処理機及び料金収受システムに関する。
【背景技術】
【０００２】
一般に挿入されたクレジットカード、キャッシュカード等のカードに対し、所望の処理を行うカード処理機が知られている。
【０００３】
例えば、特許文献１には、ＡＴＭ（現金自動預払機）に搭載されるカード処理機が開示されている。
【先行技術文献】
【特許文献】
【０００４】
【特許文献１】特開２０１０−２７５０７７号公報
【発明の概要】
【発明が解決しようとする課題】
【０００５】
特許文献１に開示されたカード処理機は、オートローディング機構により、カード処理機内にカードを引き込み、所望の処理を行う構成である。このため、挿入されたカードは、カード処理機内部で詰まることがある。
これに対し、特許文献１に開示されたカード処理機は、保守員が筐体から突出するノブを回転させ、カード処理機内部に引き込まれたカードをカード処理機外部へ排出することができるように構成されている。
しかし、特許文献１に開示されたカード処理機はＡＴＭに内蔵されるため、カードの所持者がノブにアクセスすることが難しく、ＡＴＭ内部に引き込まれたカードを排出することが難しい。
【０００６】
この発明は、カードの所持者がカード処理機内部に引き込まれたカードを排出しやすいカード処理機及び料金収受システムを提供することを目的とする。
【課題を解決するための手段】
【０００７】
第１の態様は、カードの所持者による操作を受付可能とされるユーザパネル（１１）と、前記ユーザパネルに設けられたカード挿入口（１２）と、前記カード挿入口から挿入された前記カードを内部に引き込むオートローディング機構（１３）と、前記オートローディング機構を駆動制御する制御部（１４）と、内部に引き込まれた前記カードを強制排出可能とする強制排出機構（１５）と、を備え、前記強制排出機構は、前記ユーザパネルに設けられた操作機構（１５１）に基づいて駆動されるカード処理機（１）である。
【０００８】
本態様によれば、ユーザパネルに操作機構が設けられている。このため、カードの所持者は、カード処理機内部に引き込まれたカードを排出しやすい。
【０００９】
第２の態様は、前記ユーザパネルは、前記オートローディング機構へのアクセスを制限している第１の態様のカード処理機である。
【００１０】
本態様によれば、オートローディング機構へのアクセスが制限されるため、オートローディング機構へのいたずらや不正アクセスが抑制される。
【００１１】
第３の態様は、前記ユーザパネルは、前記カード処理機の外部と前記オートローディング機構との間に設けられ、前記操作機構は、前記ユーザパネルから前記カード処理機の外部へ突出している第１の態様のカード処理機である。
【００１２】
本態様によれば、オートローディング機構へのアクセスが制限されるため、オートローディング機構へのいたずらや不正アクセスが抑制される。
【００１３】
第４の態様は、前記制御部は、カード詰まりが検知された場合に前記オートローディング機構をフリー状態とする第１から第３のいずれかの態様のカード処理機である。
【００１４】
本態様によれば、例えば、カード詰まり時において、カードの所持者は、強制排出機構をフリー状態で操作できるため、カードの所持者にとって強制排出機構の操作が軽くなる。このため、カードの所持者は、カード処理機内部に引き込まれたカードを排出しやすい。
本態様によれば、例えば、カード詰まりでない場合には強制排出機構の操作が重いため、カード詰まりでない正常な処理が妨げられることを牽制できる。
【００１５】
第５の態様は、電断された場合に、前記オートローディング機構をフリー状態とする第１から第４のいずれかの態様のカード処理機である。
【００１６】
本態様によれば、例えば、電断時において、カードの所持者は、強制排出機構をフリー状態で操作できるため、カードの所持者にとって強制排出機構の操作が軽くなる。このため、カードの所持者は、カード処理機内部に引き込まれたカードを排出しやすい。
本態様によれば、例えば、電断時でない場合には強制排出機構の操作が重いため、カード詰まりでない正常な処理が妨げられることを牽制できる。
【００１７】
第６の態様は、前記オートローディング機構が、モータ（１３２）の駆動力を用いて、前記カードを内部に引き込むことが可能であり、前記モータの入力端子間を電気的に開放可能な第１から第５のいずれかの態様のカード処理機である。
【００１８】
本態様によれば、モータの入力端子間を開放することで、オートローディング機構をフリー状態にできる。このため、例えば半導体スイッチのような回路素子でオートローディング機構のフリー状態を実現することができる。
【００１９】
第７の態様は、前記操作機構を覆うカバー（１１ｃ）をさらに備える第１から第６のいずれかの態様のカード処理機である。
【００２０】
本態様によれば、例えば、カバーは、操作機構を、水分、雨滴、塵埃等から保護することができる。
本態様によれば、例えば、ユーザパネル上の操作機構を操作するためにはユーザがカバーを開ける作業が必要なため、操作機構をユーザが不必要に操作することを牽制できる。
【００２１】
第８の態様は、前記ユーザパネルに設けられ、前記操作機構の操作を案内可能な案内部（１６）をさらに備える第１から第７のいずれかの態様のカード処理機である。
【００２２】
本態様によれば、ユーザパネルに設けられている操作機構の案内部は、カードの所持者に対し、同じくユーザパネルに設けられている操作機構の操作を促すことができる。
【００２３】
第９の態様は、前記ユーザパネルに設けられた呼出部（１７）をさらに備える第１から第８のいずれかの態様のカード処理機である。
【００２４】
本態様によれば、例えば、カードの所持者は、ユーザパネルに設けられている呼出部を操作することで、同じくユーザパネルに設けられている操作機構の存在を確認することができる。
本態様によれば、例えば、カードの所持者は、ユーザパネルに設けられている呼出部を操作することで、同じくユーザパネルに設けられている操作機構の操作方法を確認することができる。
【００２５】
第１０の態様は、第１から第９のいずれかの態様のカード処理機を備える料金収受システム（４）である。
【００２６】
本態様によれば、ユーザパネルに操作機構が設けられている。このため、カードの所持者は、カード処理機内部に引き込まれたカードを排出しやすい。
【発明の効果】
【００２７】
本発明によれば、カードの所持者がカード処理機内部に引き込まれたカードを排出しやすい。
【図面の簡単な説明】
【００２８】
【図１】一実施形態に係る料金収受システムの全体構成を示す斜視図である。
【図２】一実施形態に係るカード処理機の正面図である。
【図３】一実施形態に係るカード処理機の要部正面図である。
【図４】一実施形態に係るカード処理機の要部正面図である。
【図５】一実施形態に係るカード処理機の要部斜視図である。
【図６】一実施形態に係るカード処理機の要部分解図である。
【図７】一実施形態に係るカード処理機の要部分解図である。
【図８】一実施形態に係るカード処理機の要部の動作を示す斜視図である。
【図９】一実施形態に係るカード処理機の要部の動作を示す斜視図である。
【図１０】一実施形態に係るカード処理機の要部の動作を示す斜視図である。
【発明を実施するための形態】
【００２９】
以下、本発明に係る一実施形態について、図面を用いて説明する。すべての図面において同一または相当する構成には同一の符号を付し、共通する説明は省略する。
【００３０】
（料金収受システムの全体構成）
料金収受システム４は、カード処理機１を備える。
カード処理機１は、カードを挿入可能となっている。
例えば、カードは、ＩＣクレジットカードでもよいし、ＥＴＣカードでもよい。
ここでＥＴＣカードとは、電子式料金収受システム（ＥＴＣ：Ｅｌｅｃｔｒｏｎｉｃ  Ｔｏｌｌ  Ｃｏｌｌｅｃｔｉｏｎ  Ｓｙｓｔｅｍ（登録商標）、「自動料金収受システム」ともいう）で使用されるカードである。
【００３１】
カード処理機１は、料金収受処理に際し、カードの所持者ＨＤが所持するカードに記録された情報の読み出し及び書き込みを行う、いわゆるリーダライタ機能を有する。カード処理機１は、読み出されたカードに対し、利用日時、走行履歴、収受金額等を含む利用明細情報を記録する。
カードの所持者ＨＤが、カード処理機１にカードを挿入することにより、カードによる支払いが可能となっている。
【００３２】
本実施形態においてカードは、ＩＣチップが搭載されているプラスチック製の媒体である。
また、カードのＩＣチップは、内部に利用日時、走行履歴、収受金額等を含む利用明細情報を記録できる記録媒体である。
さらに、カードには、ＩＣチップとは別に、内部に個人情報等が記録された記録媒体が搭載されている。
【００３３】
カード処理機１は、有料道路（高速道路）の料金所に設置されている。
具体的には、図１に示すように、カード処理機１は、料金所における車線Ｌの路側（アイランド）に設置される。
カード処理機１の正面１Ａは、通過する車両Ａの側面を向いている。
本実施形態において、カードの所持者ＨＤは、車線Ｌを走行する車両Ａの搭乗者である。
カードの所持者ＨＤは、所持するカードをカード処理機１に自力で挿入することにより、カード処理機１との間で料金収受処理を行う。
【００３４】
なお、以下、車線Ｌの延びる方向をＸ方向、車線Ｌの幅方向をＹ方向、上下方向をＺ方向ともいう。
特に車両Ａの進入する方向を＋Ｘ方向、カード処理機１の正面１Ａが向く方向を＋Ｙ方向、上方向を＋Ｚ方向ともいう。
【００３５】
カード処理機１は、ネットワークＮＷを介して監視盤２と接続されている。
監視盤２は、事務所Ｒに設置されている。
これにより、カード処理機１にアクセスする所持者ＨＤは、ネットワークＮＷを介して、監視盤２との間で情報を送受信することができる。
例えば、カード処理機１にディスプレイやスピーカ等を設け、映像及び音声を通じて、監視盤２を監視している監視員がカードの所持者ＨＤに応対することができるように、カード処理機１が構成されてもよい。
【００３６】
カード処理機１は、ネットワークＮＷを介して上位装置３と接続されている。
カード処理機１は、読み出した処理対象データを上位装置３へ送信する。
上位装置３は、処理対象データを用いて各種処理を行うコンピュータである。
【００３７】
カード処理機１は、有料道路の本線上に設けられた通常の料金所だけでなく、例えば、サービスエリア、パーキングエリア、バスストップから乗り降りができるように設けられた料金所（いわゆるスマートインターチェンジ）に設置されていてもよい。
【００３８】
（カード処理機の構成）
図２及び図３に示すように、カード処理機１は、ユーザパネル１１と、カード挿入口１２と、オートローディング機構１３と、制御部１４と、強制排出機構１５と、を備える。
カード処理機１は、案内部１６と、呼出部１７と、マイク１８と、筐体１９をさらに備えてもよい。
例えば、筐体１９は、Ｚ方向に延びている直方体形状を有し、カード処理機１の正面１Ａは、筐体１９の一面であってもよい。
【００３９】
（ユーザパネル）
ユーザパネル１１は、オートローディング機構１３へのアクセスを制限するように構成されている。
具体的には、ユーザパネル１１は、カードの所持者ＨＤに対面する側に板面１１ａを有する板状の部材である。これにより、ユーザパネル１１は、オートローディング機構１３へのアクセスを遮断している。
例えば、ユーザパネル１１は、カード処理機１の外部とオートローディング機構１３との間に設けられ、後述する操作機構１５１が、ユーザパネル１１からカード処理機１の外部へ突出している。これにより、ユーザパネル１１は、オートローディング機構１３へのアクセスを遮断している。
ユーザパネル１１は、板面１１ａ内に開口１１ｂをさらに有する。
【００４０】
ユーザパネル１１は、カード処理機１の正面１Ａに設けられている。
ユーザパネル１１には、カードの所持者ＨＤにより操作される各部が設けられている。これにより、ユーザパネル１１は、カードの所持者ＨＤによる操作を受付可能とされている。
【００４１】
ユーザパネル１１は、カバー１１ｃを備えてもよい。
その際、カバー１１ｃは開閉可能であり、手動により開くことができるように構成される。
例えば、図３に示すように、カバー１１ｃは通常閉状態にあり、手で持ち上げられることにより、図４に示すように、開状態とすることができる。
カバー１１ｃの開状態において、カードの所持者ＨＤは、オートローディング機構１３の＋Ｙ側を向く面である正面１３Ａに設けられている各部分にアクセスすることができる。
また、カバー１１ｃの閉状態において、カバー１１ｃは、オートローディング機構１３の正面１３Ａを覆うことができる。
カバー１１ｃは、閉状態において、オートローディング機構１３の正面１３Ａに対し、防水カバーとして機能してもよい。
また、カバー１１ｃは、閉状態において、オートローディング機構１３の正面１３Ａに対し、防塵カバーとして機能してもよい。
さらに、カバー１１ｃは、閉状態において、オートローディング機構１３の正面１３Ａに対し、防滴カバーとして機能してもよい。
例えば、カバー１１ｃは、板面でオートローディング機構１３の正面１３Ａを覆うことができる透明又は半透明な樹脂板であってもよい。
例えば、カバー１１ｃは、板面でオートローディング機構１３の正面１３Ａを覆うことができる透明又は半透明なガラス板であってもよい。
【００４２】
（カード挿入口）
カード挿入口１２は、ユーザパネル１１に設けられている。
本実施形態において、カード挿入口１２は、カバー１１ｃの開状態において、開口１１ｂから＋Ｙ方向に向かって露出するように、ユーザパネル１１の開口１１ｂに設けられている。
例えば、カード挿入口１２は、オートローディング機構１３の正面１３Ａに搭載されてもよい。
カード挿入口１２は、Ｘ方向に延びているスリット形状の開口１２ｓを有する。
カード挿入口１２は、カードの所持者ＨＤにより開口１２ｓに挿入されたカードを、オートローディング機構１３内部へ導くように構成されている。
【００４３】
（オートローディング機構）
オートローディング機構１３は、筐体１９内に収容されている。
図５に示すように、オートローディング機構１３は、カード挿入口１２から挿入されたカードＴをカード処理機１の内部に引き込むことができる。
また、オートローディング機構１３は、カード処理機１の内部に引き込まれたカードを、カード挿入口１２からカード処理機１の外部へ排出させることができる。
例えば、オートローディング機構１３は、オートローディング機構１３の内部にカードＴを引き込んだり、オートローディング機構１３の外部へカードＴを排出させたりできる。
オートローディング機構１３の正面１３Ａは、カバー１１ｃの開状態において、開口１１ｂから＋Ｙ方向に向かって露出している。
【００４４】
オートローディング機構１３は、モータ１３２と、第一プーリ１３３と、ベルト１３４と、第二プーリ１３５と、を備える。
オートローディング機構１３は、搬送部１３７と、磁気ヘッド１３８と、コンタクト部１３９と、をさらに備えてもよい。
【００４５】
オートローディング機構１３は、モータ１３２の駆動力を用いて、カードＴをカード処理機１の内部に引き込んだり、カード処理機１の外部へ排出したりする。
モータ１３２は、軸芯１３２ａを有する。
モータ１３２の入力端子間に印加される電気エネルギーにより、モータ１３２の軸芯１３２ａは、第一回転軸ＡＸ１を中心に回転駆動する。
例えば、モータ１３２は、パルスモータである。
本実施形態では、制御部１４が、「順搬送指令」として、モータ１３２の入力端子間にＤＣパルスを印加する。これにより、軸芯１３２ａは＋Ｘ側からみて反時計回りＣＣＷに回転駆動する。
制御部１４は、「逆搬送指令」として、モータ１３２の入力端子間に逆ＤＣパルスを印加する。これにより、軸芯１３２ａは＋Ｘ側からみて時計回りＣＷに第一回転軸ＡＸ１を中心に回転駆動する。
また、制御部１４は、「搬送停止指令」として、モータ１３２の入力端子間を、例えば半導体スイッチにより短絡する。これにより、軸芯１３２ａの回転はロックされる。
さらに、制御部１４は、「フリー指令」として、モータ１３２の入力端子間を、電気的に開放する。
例えば、制御部１４は、モータ１３２の入力端子間を半導体スイッチにより、電気的に開放する。
これにより、軸芯１３２ａはフリー状態となる。
ここで「フリー状態」とは、モータ１３２内の磁界により制動されることなく、手で自由に回転できる状態をいう。
また、モータ１３２の「入力端子間の開放」とは、モータ１３２の入力端子間をハイインピーダンスとすることをいう。
【００４６】
なお、カード処理機１は、電断された場合に、オートローディング機構１３をフリー状態とする。
例えば、カード処理機１が電断時に軸芯１３２ａをフリー状態とするために、電断時にモータ１３２の入力端子間を開放するように、半導体スイッチを含む入力端子側の回路が構成されてもよい。
【００４７】
ベルト１３４の−Ｙ側は、第一プーリ１３３に掛けられている。
ベルト１３４の＋Ｙ側は、第二プーリ１３５に掛けられている。
ベルト１３４を介して、第一プーリ１３３と第二プーリ１３５とは、同じ方向に回転する。
ベルト１３４は、例えば、無端ベルトである。
【００４８】
図６に示すように、例えば、第一プーリ１３３は、モータ１３２の軸芯１３２ａにねじＳＣで固定されている。
また、第二プーリ１３５は、搬送部１３７の軸芯１３７ａにねじＳＣで固定されている。
例えば、搬送部１３７の軸芯１３７ａが反時計回りＣＣＷに回転すると、搬送部１３７は、カード挿入口１２から挿入されたカードＴをカード処理機１の内部に引き込むことができる。
例えば、搬送部１３７の軸芯１３７ａが時計回りＣＷに回転すると、搬送部１３７は、カード処理機１の内部に引き込まれたカードＴを、カード挿入口１２からカード処理機１の外部へ排出させることができる。
【００４９】
磁気ヘッド１３８は、カード処理機１の内部に引き込まれたカードＴに設けられている記録媒体である磁気ストライプＭＧから磁気データを読み取るための機構である。
例えば、磁気ヘッド１３８は、カードＴが搬送部１３７によって搬送されている間に、磁気ストライプＭＧから磁気データを読み取る。
【００５０】
コンタクト部１３９は、カード処理機１の内部に引き込まれたカードＴに設けられているＩＣチップＣＰに対し、電子データの読み書きを行う機構である。
コンタクト部１３９は、カード処理機１の内部に引き込まれたカードＴに搭載されているＩＣチップＣＰに接触可能である。
例えば、コンタクト部１３９は、カードＴに搭載されているＩＣチップＣＰと電気的接点をとるデバイスである。カードＴが搬送部１３７によって適切な位置に搬送されることでコンタクト部１３９の位置とＩＣチップＣＰの位置とが整合し、電気的接点が形成される。
【００５１】
（制御部）
制御部１４は、オートローディング機構１３を駆動制御する。
本実施形態において、制御部１４は、制御基板１４１と、検知センサ１４２を、を備える。
制御部１４は、オートローディング機構１３に対し、「順搬送指令」、「逆搬送指令」、「搬送停止指令」、「フリー指令」のいずれかの指令を行う。
【００５２】
例えば、制御基板１４１は、ＹＺ平面に沿う板面を有する。
その際、制御基板１４１は、オートローディング機構１３の＋Ｘ方向を向く側面に板面を沿わせて設けられる。
【００５３】
例えば、検知センサ１４２は、オートローディング機構１３のカード挿入口１２側から−Ｙ方向に向かって、複数並べて設けられている。
例えば、複数の検知センサ１４２のうち、カード挿入口１２にいちばん近い検知センサ１４２は、カード挿入口１２に投入されたカードＴを検知する。
カード挿入口１２にいちばん近い検知センサ１４２が、挿入されたカードＴを検知すると、制御部１４は、オートローディング機構１３に対し、カードＴを引き込むように「順搬送指令」を行う。
【００５４】
例えば、引き込んだカードＴに対し、磁気ヘッド１３８及びコンタクト部１３９によるデータ処理が終わると、制御部１４は、オートローディング機構１３に対し、カードＴを排出するように「逆搬送指令」を行う。
【００５５】
例えば、複数の検知センサ１４２は、搬送部１３７の搬送方向の各位置において、カードＴの有無を随時検知する。
制御部１４は、複数の検知センサ１４２に検知に基づき、搬送部１３７の搬送方向にカードＴが移動しているか否かを検知する。
制御部１４は、「順搬送指令」又は「逆搬送指令」を行っている場合において、搬送方向にカードＴが数秒間に亘り移動していないと判定すると、引き込まれたカードＴに対し「カード詰まり」を検知する。
制御部１４は、カード詰まりが検知された場合にオートローディング機構１３をフリー状態にする。
【００５６】
（強制排出機構）
強制排出機構１５は、カード処理機１の内部に引き込まれたカードＴを、カード処理機１外部へ強制排出可能とする。
図７に示すように、強制排出機構１５は、操作機構１５１と固定部１５２と、を備える。
強制排出機構１５は、操作機構１５１に基づいて駆動される。
本実施形態では、強制排出機構１５は、所持者ＨＤによる操作機構１５１の回転操作により、カード処理機１の内部に詰まったカードＴを強制排出するように駆動される。
【００５７】
強制排出機構１５は、ワッシャ１５３をさらに備えてもよい。
例えば、ワッシャ１５３は、軸芯１３７ａに貫通され、固定部１５２と制御基板１４１の板面の間に設けられる。
固定部１５２と制御基板１４１との間の摩擦を小さくできるように、ワッシャ１５３の板面は平滑面とされてもよい。
さらに、固定部１５２と制御基板１４１との間の摩擦を小さくできるように、ワッシャ１５３の板面は平滑な樹脂面であってもよい。
【００５８】
例えば、操作機構１５１は、ＹＺ平面に沿う盤面１５１ａと、盤面１５１ａの円周に延びる周面１５１ｂと、を含む円盤形状を有し、第二回転軸ＡＸ２を中心に回転可能なダイアルであってもよい。
その際、操作機構１５１は、カバー１１ｃの開状態において、周面１５１ｂが開口１１ｂから＋Ｙ方向に向かって露出するように、ユーザパネル１１の開口１１ｂに設けられてもよい。
例えば、操作機構１５１は、金属材料で形成されてもよい。さらに、操作機構１５１の周面１５１ｂは、樹脂で被覆されていてもよい。
【００５９】
固定部１５２は、軸芯１３７ａにねじＳＣＷで固定されている。
これにより、操作機構１５１を手動で回転させると、第二回転軸ＡＸ２を中心に軸芯１３７ａが回転される。
例えば、固定部１５２は、操作機構１５１と一体成形されてもよい。
【００６０】
図３に戻って示すように、操作機構１５１は、ユーザパネル１１に設けられている。
本実施形態では、図４に示すように、カバー１１ｃの開状態において、操作機構１５１は、開口１１ｂから＋Ｙ方向に向かって露出するように、ユーザパネル１１の開口１１ｂに設けられている。
なお、カバー１１ｃは、閉状態において、操作機構１５１を覆うことができるように構成されている。
【００６１】
（案内部）
案内部１６は、ユーザパネル１１に設けられている。
本実施形態において、案内部１６は、カバー１１ｃの開状態において、開口１１ｂから＋Ｙ方向に向かって露出するように、ユーザパネル１１の開口１１ｂに設けられている。
案内部１６は、カードＴの所持者ＨＤに対し、操作機構１５１の操作方法を案内している。
例えば、案内部１６は、オートローディング機構１３の正面１３Ａに設けられてもよい。
例えば、案内部１６は、カードＴを強制排出できる操作機構１５１の回転方向を示す矢印の表示であってもよい。
【００６２】
（呼出部）
呼出部１７は、ユーザパネル１１に設けられている。
本実施形態において、呼出部１７は、ユーザパネル１１の板面１１ａに設けられている。
呼出部１７は、カードＴの所持者ＨＤが押すことにより、監視盤２を監視している監視員を呼び出すことができる。
例えば、呼出部１７は押下されることにより、監視盤２に対し、音又は表示を発生させることができる。
【００６３】
（マイク）
マイク１８は、ユーザパネル１１に設けられている。
本実施形態において、マイク１８は、ユーザパネル１１の板面１１ａに設けられている。
マイク１８は、カードＴの所持者ＨＤの音声を、電気信号に変換する。
電気信号に変換されたカードＴの所持者ＨＤの音声は、ネットワークＮＷを介して、監視盤２に送信され、監視盤２を監視している監視員に対して再生される。
これにより、カードＴの所持者ＨＤの音声が、監視盤２を監視している監視員に伝えられる。
【００６４】
（動作）
カード処理機１は、例えば以下のように動作する。
まず、制御部１４が「順搬送指令」を行う場合の動作について説明する。
例えば、検知センサ１４２によりオートローディング機構１３の内部に他のカードが検知されない場合において、カード挿入口１２にいちばん近い検知センサ１４２がカードＴを検知すると、制御部１４は、「順搬送指令」を行う。
「順搬送指令」を行う場合、制御部１４は、モータ１３２の軸芯１３２ａを、＋Ｘ側からみて反時計回りＣＣＷに回転させる。
図８に示すように、モータ１３２の軸芯１３２ａを反時計回りＣＣＷに回転させると、モータ１３２は、第一プーリ１３３、ベルト１３４、第二プーリ１３５を介して、軸芯１３７ａを反時計回りＣＣＷに回転させることができる。
軸芯１３７ａが反時計回りＣＣＷに回転されると、搬送部１３７は−Ｙ方向に搬送物を搬送するように作動するため、カード処理機１は、カード挿入口１２から挿入されたカードＴをカード処理機１の内部に引き込む。
【００６５】
制御部１４が「逆搬送指令」を行う場合の動作について説明する。
例えば、オートローディング機構１３が引き込んだカードＴに対し、磁気ヘッド１３８及びコンタクト部１３９によるデータ処理が終わったと判定すると、制御部１４は、「逆搬送指令」を行う。
「逆搬送指令」を行う場合、制御部１４は、モータ１３２の軸芯１３２ａを、＋Ｘ側からみて時計回りＣＷに回転させる。
図９に示すように、モータ１３２の軸芯１３２ａを時計回りＣＷに回転させると、モータ１３２は、第一プーリ１３３、ベルト１３４、第二プーリ１３５を介して、軸芯１３７ａを時計回りＣＷに回転させることができる。
軸芯１３２ａが時計回りＣＷに回転されると、搬送部１３７は＋Ｙ方向に搬送物を搬送するように作動するため、カード処理機１は、カード処理機１の内部に引き込まれたカードＴを、カード挿入口１２からカード処理機１の外部へ排出する。
【００６６】
制御部１４が「搬送停止指令」を行う場合の動作について説明する。
例えば、オートローディング機構１３が引き込んだカードＴに対し、コンタクト部１３９によるデータ処理中であると判定すると、制御部１４は、「搬送停止指令」を行う。
「搬送停止指令」を行う場合、制御部１４は、オートローディング機構１３をロック状態とする。例えば、制御部１４は、モータ１３２の軸芯１３２ａをロックさせる。
軸芯１３２ａがロックされると、第一プーリ１３３、ベルト１３４、第二プーリ１３５、軸芯１３７ａ、がロックされ、操作機構１５１の回転操作がロックされる。
操作機構１５１の回転操作がロックされると、操作機構１５１による搬送部１３７の搬送方向の動きの操作は、ロックされる。
【００６７】
制御部１４が「フリー指令」を行う場合の動作について説明する。
例えば、制御部１４は、引き込まれたカードＴに対し「カード詰まり」を検知すると、制御部１４は、「フリー指令」を行う。
「フリー指令」を行う場合、制御部１４は、オートローディング機構１３をフリー状態とする。例えば、制御部１４は、軸芯１３２ａはフリー状態にする。
軸芯１３２ａがフリー状態とされると、第一プーリ１３３、ベルト１３４、第二プーリ１３５、及び軸芯１３７ａがフリー状態となり、操作機構１５１の回転操作がフリー状態となる。
操作機構１５１の回転操作がフリー状態となると、所持者ＨＤは、操作機構１５１をユーザパネル１１の開口１１ｂから手で回転することができ、搬送部１３７の搬送方向の動きを手動で自由に操作できる。
したがって、図１０に示すように、所持者ＨＤは、操作機構１５１を時計回りＣＷに回転させることにより、カード処理機１の内部に詰まったカードＴを手動で強制排出することができる。
なお、電断時も同様に操作機構１５１の回転操作がフリー状態となり、所持者ＨＤは、操作機構１５１をユーザパネル１１の開口１１ｂから手で回転することができ、搬送部１３７の搬送方向の動きを手動で自由に操作できる。
【００６８】
（作用及び効果）
本実施形態によれば、ユーザパネル１１に操作機構１５１が設けられている。このため、カードＴの所持者ＨＤは、カード処理機１内部に引き込まれたカードＴを排出しやすい。
【００６９】
また本実施形態によれば、ユーザパネル１１によりオートローディング機構１３へのアクセスが制限されるため、オートローディング機構１３へのいたずらや不正アクセスが抑制される。
【００７０】
また本実施形態によれば、例えば、カードＴの詰まり時において、カードＴの所持者ＨＤは、強制排出機構をフリー状態で操作できるため、カードＴの所持者ＨＤにとって強制排出機構１５の操作が軽くなる。このため、カードＴの所持者ＨＤは、カード処理機１内部に引き込まれたカードＴを排出しやすい。また、例えば、カード詰まりでない場合には強制排出機構の操作が重いため、カード詰まりでない正常な処理が妨げられることを牽制できる。
【００７１】
また本実施形態によれば、例えば、電断時において、カードＴの所持者ＨＤは、強制排出機構１５をフリー状態で操作できるため、カードＴの所持者ＨＤにとって強制排出機構１５の操作が軽くなる。このため、カードＴの所持者ＨＤは、カード処理機１内部に引き込まれたカードＴを排出しやすい。また、例えば、電断時でない場合には、強制排出機構１５の操作が重いため、カード詰まりでない正常な処理が妨げられることを牽制できる。
【００７２】
また本実施形態によれば、モータ１３２の入力端子間を開放することで、オートローディング機構１３をフリー状態にできる。このため、例えば半導体スイッチのような回路素子でオートローディング機構１３のフリー状態を実現することができる。
【００７３】
また本実施形態によれば、例えば、カバー１１ｃにより、操作機構１５１を、水分、雨滴、塵埃等から保護することができる。また、例えば、ユーザパネル１１上の操作機構１５１を操作するためには、所持者ＨＤを含むユーザがカバーを開ける作業が必要なため、操作機構１５１をユーザが不必要に操作することを牽制できる。
【００７４】
また本実施形態によれば、ユーザパネル１１に設けられた案内部１６は、カードＴの所持者ＨＤに対し、同じくユーザパネル１１に設けられた操作機構１５１の操作を促すことができる。
【００７５】
また本実施形態によれば、例えば、カードＴの所持者ＨＤは、ユーザパネル１１に設けられている呼出部１７を操作することで、同じくユーザパネル１１に設けられている操作機構１５１の存在を確認することができる。また、例えば、カードＴの所持者ＨＤは、ユーザパネル１１に設けられている呼出部１７を操作することで、同じくユーザパネル１１に設けられている操作機構１５１の操作方法を確認することができる。
【００７６】
また本実施形態によれば、操作機構１５１は、金属材料で形成されている。
これにより、操作機構１５１は、搬送されるカードＴに対し、慣性を与えることができ、カードＴの搬送を安定させることができる。
【００７７】
さらに本実施形態によれば、操作機構１５１の周面１５１ｂが、樹脂で被覆されている。
これより、操作機構１５１の回転にある程度の負荷が掛かると、周面１５１ｂと手との間で滑りが発生する。
したがって、操作機構１５１の回転操作がロックされた場合に、手で操作機構１５１の強制回転させることが困難となり、いたずらや不正操作を抑制することができる。
【００７８】
一般にカード処理機では、不慮のカード詰まりや電断（災害時等)によりカード処理が中断してしまった際に、挿入中のカードを引き抜かなくてはならない事象が発生する。
しかし、オートローディング機構を備えるカード処理機は、カード全体を内部に引き込んでしまうため、手動で引き抜くことが難しい。
このような場合、カードの所持者は、自力でカードを引き抜くことができないため、保守員を呼び出す必要がある。さらに、近くに保守員がいない場合、カードの所持者は、保守員が到着するまでに長い時間待たされることとなる。
これに対し、本実施形態のカード処理機１が、たとえ保守員が一人もいない環境に設置されていたとしても、カードＴの所持者ＨＤは、自力でカードＴを引き抜くことができる。
具体的には、カードＴの所持者ＨＤは、操作機構１５１により、保守員の手を借りずにカード処理機１内に挿入されているカードＴを排出し、引き抜くことができる。
さらに、操作機構１５１は、電動式でなく、手動式であれば、電断時でも手動でカードＴを引き抜くことが可能である。
したがって、上述のとおり、本実施形態のカード処理機１は、保守員を呼ばなくても、カードＴの保持者単独でカードＴを引き抜くことができる。
また、上述のとおり、本実施形態のカード処理機１は、手動で動く機構なので、地震等の災害時でもカードＴを引き抜くことが可能である。
【００７９】
（変形例）
上述の実施形態では、カード処理機１は、カードＴが挿入可能となっているが、カードであれば、どのようなカードが挿入可能となっていてもよい。
変形例として、カード処理機１は、カードとして、例えば、ＩＣチップＣＰを有さないカードであってもよい。その際、カード処理機１は、コンタクト部１３９を備えなくてもよい。
他の変形例として、カード処理機１は、カードＴとして、例えば、磁気ストライプＭＧを有さないカードであってもよい。その際、カード処理機１は、磁気ヘッド１３８を備えなくてもよい。
さらに他の変形例として、カード処理機１は、カードＴとして、例えば、磁気ストライプＭＧ及びＩＣチップＣＰを有さないカードであってもよい。その際、カード処理機１は、磁気ヘッド１３８及びコンタクト部１３９を備えなくてもよい。
【００８０】
上述の実施形態では、カード処理機１は、車両Ａの搭乗者であるカードＴの所持者ＨＤがユーザパネルを操作するタイプのカード処理機であるが、カードＴの所持者ＨＤは、車両Ａの搭乗者でなくてもよい。
変形例として、カードＴの所持者として、車両Ａの搭乗者でない者が、ユーザパネルを操作するタイプのカード処理機に、カード処理機１が適用されてもよい。例えば、カードＴの所持者として、ＡＴＭを操作する者が、ユーザパネルを操作するタイプのカード処理機に、カード処理機１が適用されてもよい。
他の変形例として、カードＴの所持者として、有人ブースに待機する収受員が、ユーザパネルを操作するタイプのカード処理機に、カード処理機１が適用されてもよい。
【００８１】
上述の実施形態では、案内部１６は、操作機構１５１の回転方向を示す矢印の表示であるが、操作機構１５１の操作方法を案内できるものであれば、どのようなものであってもよい。
例えば、案内部１６は、液晶パネルやスピーカであってもよい。案内部１６が液晶パネルやスピーカであれば、監視盤２を監視している監視員が操作機構１５１の操作方法をカードＴの所持者ＨＤに案内できるように、カード処理機１を構成することができる。
【００８２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００８３】
１  カード処理機
１Ａ  正面
２  監視盤
３  上位装置
４  料金収受システム
１１  ユーザパネル
１１ａ  板面
１１ｂ  開口
１１ｃ  カバー
１２  カード挿入口
１２ｓ  開口
１３  オートローディング機構
１３Ａ  正面
１４  制御部
１５  強制排出機構
１６  案内部
１７  呼出部
１８  マイク
１９  筐体
１３２  モータ
１３２ａ  軸芯
１３３  第一プーリ
１３４  ベルト
１３５  第二プーリ
１３７  搬送部
１３７ａ  軸芯
１３８  磁気ヘッド
１３９  コンタクト部
１４１  制御基板
１４２  検知センサ
１５１  操作機構
１５１ａ  盤面
１５１ｂ  周面
１５２  固定部
１５３  ワッシャ
Ａ  車両
ＡＸ１  第一回転軸
ＡＸ２  第二回転軸
ＣＰ  ＩＣチップ
ＨＤ  所持者
Ｌ  車線
ＭＧ  磁気ストライプ
ＮＷ  ネットワーク
Ｒ  事務所
Ｔ  カード
【図１】
2020135303.tif 000003
【図２】
2020135303.tif 000004
【図３】
2020135303.tif 000005
【図４】
2020135303.tif 000006
【図５】
2020135303.tif 000007
【図６】
2020135303.tif 000008
【図７】
2020135303.tif 000009
【図８】
2020135303.tif 000010
【図９】
2020135303.tif 000011
【図１０】
2020135303.tif 000012